(57)【要約】【課題】  ディスクドライブの固定を簡単な前後押動により完成でき、ゆえに組立プロセスを簡易化して部品数を減らせ、製造コストを減らして加工時間の浪費を減らし、組立効率を高めることができるディスクドライブ固定構造の提供。【解決手段】  ディスクドライブをスライドベース上に組付け、並びにスライドベースをトレイに対して後方にスライドさせ、二側のスライド側板を縦向き案内構造と縦向き案内手段、及び横向き案内構造と横向き案内手段を以て、並びに縦向き案内構造或いは縦向き案内手段の後端と前端が底板中心線に接近する関係により、スライドベースが後方にスライドする時に同時に後方及び内向きに偏移させ、並びに横向き位置決め柱をディスクドライブの横向き位置決め孔内に挿入させて固定を形成する。【選択図】        図２
2005259328.tif 000002
【特許請求の範囲】
【請求項１】
ディスクドライブ固定構造において、トレイ、スライドベース、二つのスライド側板、ディスクドライブを具え、
該トレイは底板を具え、この底板に前後方向に縦向きに延伸された中心線が規定され、該底板の中心線の二側に縦向き案内構造及び縦向きスライド構造が設けられ、該底板の二側端が上向きに折り曲げられて側板が形成され、
該スライドベースは該トレイの底板上方にスライド自在に組み合わされ、且つ二側に縦向きスライド手段及び横向きスライド構造が設けられ、二つの縦向きスライド手段が二つの縦向きスライド構造にスライド自在に組み合わされ、別にスライドベースの二側に上向きに少なくとも一つの直立位置決め柱が凸設され、
該二つのスライド側板は該スライドベースの二側に設けられ、横板を具え、該横板はトレイとスライドベースの間に挟まれ、二つの横板がそれぞれ縦向き案内手段、及び横向きスライド手段を具え、該二つの縦向き案内手段はトレイの底板の二つの縦向き案内構造にスライド自在に組み合わされ、並びに二つのスライド側板がトレイに対して前後に縦向きにスライド自在とされ、二つの横向きスライド手段は二つの横向きスライド構造にスライド自在に組み合わされ、並びに二つのスライド側板がそれぞれスライドベースに対して横向きにスライド自在とされ、且つ二つの横板に上向きに延伸された直立板が設けられ、該直立板がトレイの二つの側板に対応し近接し、且つ二つの直立板に内向きに少なくとも一つの横向き位置決め柱が凸設され、
該ディスクドライブは、上述のスライドベースの上方に組付けられ、底面、及び二つの側面を具え、該底面の二側に少なくとも一つの直向位置決め孔が設けられてスライドベースの二側に凸設された少なくとも一つの直立位置決め柱に対応し嵌合され、該二つの側面に少なくとも一つの横向き位置決め孔が設けられ、該スライド側板に内向きに凸設された少なくとも一つの横向き位置決め柱に対応し嵌合され、
各縦向き案内構造及びそれに対応する縦向き案内手段のいずれか一方は、前端及び後端を具え、且つ後端は前端に較べて底板の中心線に接近することを特徴とする、ディスクドライブ固定構造。
【請求項２】
請求項１記載のディスクドライブ固定構造において、トレイの底板の前端近くに前位置決め凹溝及び後ろ位置決め凹溝が開設され、且つスライドベースの下方に弾性位置決め片が固定され、該弾性位置決め片に下向きに位置決め凸点が凸設されて該位置決め凸点が前位置決め凹溝或いは後ろ位置決め凹溝に対応し係合することを特徴とする、ディスクドライブ固定構造。
【請求項３】
請求項１記載のディスクドライブ固定構造において、トレイの各縦向き案内構造が少なくとも一つの縦向き案内溝を具え、且つ上述の前端及び後端は少なくとも一つの縦向き案内溝の前後二端を指し、二つのスライド側板の各縦向き案内手段が少なくとも一つの案内凸柱を具え、該案内凸柱は少なくとも一つの縦向き案内溝内にスライド自在に組み合わされることを特徴とする、ディスクドライブ固定構造。
【請求項４】
請求項１記載のディスクドライブ固定構造において、トレイの各縦向きスライド構造が少なくとも一つの凸板を具え、該凸板は逆Ｌ形を呈し並びに底板より上向きに突出し、且つスライドベースの各縦向きスライド手段は少なくとも一つの縦向き滑り溝を具え、該縦向き滑り溝が少なくとも一つの凸板にスライド自在に組み合わされたことを特徴とする、ディスクドライブ固定構造。
【請求項５】
請求項１記載のディスクドライブ固定構造において、スライドベースの各横向きスライド構造が少なくとも一つの横向き案内板を具え、それはＬ形を呈し並びに下向きに突出し、また二つのスライド側板の各横向きスライド手段はその対応する横板の少なくとも一つの側辺を指し、該側辺は対応する少なくとも一つの横向き案内板にスライド自在に当接されたことを特徴とする、ディスクドライブ固定構造。
【発明の詳細な説明】
【技術分野】
【０００１】
本発明は一種のディスクドライブ固定構造に係り、特に標準規格のディスクドライブの固定構造であり、特に標準の５或いは４分の１インチ規格のディスクドライブ、例えばＣＤ−ＲＯＭドライブ、ＣＤ−ＲＷドライブに適用されるディスクドライブ固定構造に関する。
【背景技術】
【０００２】
一般にコンピュータ装置において、標準規格のディスクドライブ、例えば標準の５又は４分の１インチのＣＤ−ＲＯＭドライブ、ＣＤ−ＲＷドライブ等コンピュータのアクセサリは一般の標準装置とされている。
【０００３】
上述の５又は４分の１インチのＣＤ−ＲＯＭドライブ、ＣＤ−ＲＷドライブに対する伝統的な取付方式は、ほとんどがネジ止め方式であり、それによりディスクドライブがコンピュータのケース内に組付けられ、即ち、５又は４分の１インチのコンピュータアクセサリがベイ内にネジ止めされた後にこのベイがコンピュータ装置内に組付けられる。
【０００４】
図１は周知の５又は４分の１インチのコンピュータアクセサリの立体図である。図中にはＣＤドライブ９が表示され、上述のネジ止め方式は比較的面倒であることから、現在、ＣＤドライブ９の両側にそれぞれスライドレール９１が組付けられ、並びにコンピュータ装置のケース内に対応するベイ（図示せず）が組付けられ、スライドレール９１とベイの相互スライドによりＣＤドライブ９が直接ケース内にスライド式に挿入され、スライドレール９１に形成された係合構造９２により、ケース内に挿入された後の係合作用が形成される。
【０００５】
上述の周知のスライドレール９１は別に加工し別にネジ止めする必要があり、部品数とコスト、及び加工時間がいずれも増し、ゆえにこのような構造は理想的とはいえない。
【発明の開示】
【発明が解決しようとする課題】
【０００６】
本発明の主要な目的は、一種のディスクドライブ固定構造を提供することにあり、それはディスクドライブの組立プロセスを簡易化し並びに部品数を減らせ、これにより製造コストを減らし加工時間の浪費を減らし、組立効率を増すことができる構造であるものとする。
【課題を解決するための手段】
【０００７】
請求項１の発明は、ディスクドライブ固定構造において、トレイ、スライドベース、二つのスライド側板、ディスクドライブを具え、
該トレイは底板を具え、この底板に前後方向に縦向きに延伸された中心線が規定され、該底板の中心線の二側に縦向き案内構造及び縦向きスライド構造が設けられ、該底板の二側端が上向きに折り曲げられて側板が形成され、
該スライドベースは該トレイの底板上方にスライド自在に組み合わされ、且つ二側に縦向きスライド手段及び横向きスライド構造が設けられ、二つの縦向きスライド手段が二つの縦向きスライド構造にスライド自在に組み合わされ、別にスライドベースの二側に上向きに少なくとも一つの直立位置決め柱が凸設され、
該二つのスライド側板は該スライドベースの二側に設けられ、横板を具え、該横板はトレイとスライドベースの間に挟まれ、二つの横板がそれぞれ縦向き案内手段、及び横向きスライド手段を具え、該二つの縦向き案内手段はトレイの底板の二つの縦向き案内構造にスライド自在に組み合わされ、並びに二つのスライド側板がトレイに対して前後に縦向きにスライド自在とされ、二つの横向きスライド手段は二つの横向きスライド構造にスライド自在に組み合わされ、並びに二つのスライド側板がそれぞれスライドベースに対して横向きにスライド自在とされ、且つ二つの横板に上向きに延伸された直立板が設けられ、該直立板がトレイの二つの側板に対応し近接し、且つ二つの直立板に内向きに少なくとも一つの横向き位置決め柱が凸設され、
該ディスクドライブは、上述のスライドベースの上方に組付けられ、底面、及び二つの側面を具え、該底面の二側に少なくとも一つの直向位置決め孔が設けられてスライドベースの二側に凸設された少なくとも一つの直立位置決め柱に対応し嵌合され、該二つの側面に少なくとも一つの横向き位置決め孔が設けられ、該スライド側板に内向きに凸設された少なくとも一つの横向き位置決め柱に対応し嵌合され、
各縦向き案内構造及びそれに対応する縦向き案内手段のいずれか一方は、前端及び後端を具え、且つ後端は前端に較べて底板の中心線に接近することを特徴とする、ディスクドライブ固定構造としている。
請求項２の発明は、請求項１記載のディスクドライブ固定構造において、トレイの底板の前端近くに前位置決め凹溝及び後ろ位置決め凹溝が開設され、且つスライドベースの下方に弾性位置決め片が固定され、該弾性位置決め片に下向きに位置決め凸点が凸設されて該位置決め凸点が前位置決め凹溝或いは後ろ位置決め凹溝に対応し係合することを特徴とする、ディスクドライブ固定構造としている。
請求項３の発明は、請求項１記載のディスクドライブ固定構造において、トレイの各縦向き案内構造が少なくとも一つの縦向き案内溝を具え、且つ上述の前端及び後端は少なくとも一つの縦向き案内溝の前後二端を指し、二つのスライド側板の各縦向き案内手段が少なくとも一つの案内凸柱を具え、該案内凸柱は少なくとも一つの縦向き案内溝内にスライド自在に組み合わされることを特徴とする、ディスクドライブ固定構造としている。
請求項４の発明は、請求項１記載のディスクドライブ固定構造において、トレイの各縦向きスライド構造が少なくとも一つの凸板を具え、該凸板は逆Ｌ形を呈し並びに底板より上向きに突出し、且つスライドベースの各縦向きスライド手段は少なくとも一つの縦向き滑り溝を具え、該縦向き滑り溝が少なくとも一つの凸板にスライド自在に組み合わされたことを特徴とする、ディスクドライブ固定構造としている。
請求項５の発明は、請求項１記載のディスクドライブ固定構造において、スライドベースの各横向きスライド構造が少なくとも一つの横向き案内板を具え、それはＬ形を呈し並びに下向きに突出し、また二つのスライド側板の各横向きスライド手段はその対応する横板の少なくとも一つの側辺を指し、該側辺は対応する少なくとも一つの横向き案内板にスライド自在に当接されたことを特徴とする、ディスクドライブ固定構造としている。
【発明の効果】
【０００８】
本発明のディスクドライブ固定構造は、ディスクドライブを簡単な前後押動構造及び動作により固定でき、並びに伝統的なネジの使用或いは別にスライドレールを設ける必要がなく、ディスクドライブの組付けプロセスを簡易化し、並びに部品数を減らし、並びに製造コストを減らし、加工時間の浪費を減らし、これにより組立効率を高めることができる。
【発明を実施するための最良の形態】
【０００９】
本発明のディスクドライブ固定構造は、トレイ、スライドベース、二つのスライド側板、及びディスクドライブを具えている。そのうち、トレイは底板を具え、この底板に中心線が規定され、それは前後方向に縦向きに延伸され、且つこの底板の中心線の二側に縦向き案内構造及び縦向きスライド構造が設けられ、この底板の二側端が上向きに折り曲げられて側板が形成されている。
【００１０】
このほか、スライドベースは上述のトレイの底板上方にスライド自在に組み合わされ、且つこのスライドベースの二側に縦向きスライド手段が設けられてトレイの底板の二つの縦向きスライド構造に対応してスライド自在に組み合わされ、並びにスライドベースがトレイに対して前後に縦向きにスライド自在とされ、且つスライドベースの二側に上向きに少なくとも一つの直立位置決め柱が凸設されている。
【００１１】
このほか、二つのスライド側板は上述のスライドベースの二側に設けられ、且つこの二つのスライド側板は横板を具え、該横板はトレイとスライドベースの間に挟まれ、また二つの横板がそれぞれ縦向き案内手段、及び横向きスライド手段を具え、そのうち二つの縦向き案内手段はトレイの底板の二つの縦向き案内構造にスライド自在に組み合わされ、並びに二つのスライド側板がトレイに対して前後に縦向きにスライド自在とされ、二つの横向きスライド手段は二つのスライドベースの二つの横向きスライド構造に対応しスライド自在に組み合わされ、並びに二つのスライド側板がそれぞれスライドベースに対して横向きにスライド自在とされ、且つ二つの横板に上向きに延伸された直立板が設けられ、該直立板がトレイの二つの側板に対応し近接し、且つ二つの直立板に内向きに少なくとも一つの横向き位置決め柱が凸設されている。
【００１２】
また、ディスクドライブは、上述のスライドベースの上方に組付けられ、且つこのディスクドライブは、底面、及び二つの側面を具え、そのうち底面の二側に少なくとも一つの直向位置決め孔が設けられ、それはそれぞれ上述のスライドベースの二側に凸設された少なくとも一つの直立位置決め柱に対応し嵌合され、ディスクドライブの二つの側面に少なくとも一つの横向き位置決め孔が設けられ、それは上述のスライド側板に内向きに凸設された少なくとも一つの横向き位置決め柱に対応し嵌合される。
【００１３】
以上の構造中、各縦向き案内構造及びそれに対応する縦向き案内手段のいずれか一方は、前端、及び後端を具え、且つ後端は前端に較べて底板の中心線に接近する。これによりディスクドライブがスライドベースの上に組付けられる時は、先ずその直向位置決め孔がスライドベースの直立位置決め柱に対応させられて嵌合され、その後、スライドベースがトレイに対して後方にスライドさせられ、これにより二側のスライド側板が、縦向き案内構造と縦向き案内手段、及び横向きスライド構造と横向きスライド手段により、並びに前述の後端と前端の底板中心線に対する接近関係により形成される偏移案内作用により、スライドベースにおいて後方にスライドさせられる時、同時に後ろ向き及び内向きに偏移し、且つ内向きの偏移過程で、二つのスライド側板の横向き位置決め柱がディスクドライブの横向き位置決め孔内に対応し嵌合され、これによりディスクドライブが固定される。
【００１４】
以上から分かるように、ディスクドライブを簡単な前後押動構造及び動作により固定でき、並びに伝統的なネジの使用或いは別にスライドレールを設ける必要がなく、ディスクドライブの組付けプロセスを簡易化し、並びに部品数を減らし、並びに製造コストを減らし、加工時間の浪費を減らし、これにより組立効率を高めることができる。
【実施例１】
【００１５】
図２は本発明の固定構造の立体分解図である。図３は本発明のディスクドライブ固定構造の立体図である。本発明のディスクドライブ固定構造は、トレイ１、スライドベース２、二つのスライド側板３、及びディスクドライブ４を具えている。そのうち、トレイ１は底板１１を具え、この底板１１に前後方向に縦向きに延伸された中心線１０が規定され、この底板１１の中心線１０の二側に縦向き案内構造１３及び縦向きスライド構造１４が設けられ、この底板１１の二側端が上向きに折り曲げられて側板１２が形成されている。
【００１６】
上述のトレイ１の底板１１の前端１１１に近い部分に前位置決め凹溝１１２と後ろ位置決め凹溝１１３が開設され、且つ本実施例では、底板１１の二側の縦向き案内構造１３が二つの縦向き案内溝１３３を具え、各縦向き案内溝１３３は前端１３１及び後端１３２を具え、そのうち後端１３２は前端１３１に較べて底板１１の中心線１０に接近し、これにより内向きに偏移する案内作用を形成する。底板１１の二側の縦向きスライド構造１４は二つの凸板１４１を具え、それは逆Ｌ形を呈し並びにトレイ１の底板１１より上向きに突出する。底板１１の二側に二つの縦向き案内溝１３３と二つの凸板１４１を設けることにより左右においてスライドの平衡を確保できる。
【００１７】
このほか、図中、スライドベース２は上述のトレイ１の底板１１上方にスライド自在に組み合わされ、且つこのスライドベース２の二側に縦向きスライド手段２１と横向きスライド構造２２が設けられ、且つこのスライドベース２の二側に上向きに直立位置決め柱２３が凸設され、並びに下方に弾性位置決め片２４が固定され、この弾性位置決め片２４に下向きに位置決め凸点２４１が凸設され、該位置決め凸点２４１は上述のトレイ１の底板１１の前位置決め凹溝１１２或いは後ろ位置決め凹溝１１３に対応し係合可能である。
【００１８】
本実施例では、上述のスライドベース２の二側の縦向きスライド手段２１が二つの縦向き滑り溝２１１を具え、該縦向き滑り溝２１１は上述のトレイ１の二側の凸板１４１に対応して組み合わされ、スライドベース２がトレイ１に対して前後に縦向きにスライド可能とされる。スライドベース２の二側の横向きスライド構造２２は二つの横向き案内板２２１を具え、該横向き案内板２２１はＬ形を呈し並びにスライドベース２より下向きに突出している。
【００１９】
また図中の二つのスライド側板３は上述のスライドベース２の二側に設けられ、且つ二つのスライド側板３はそれぞれ横板３１を具え、該横板３１はトレイ１とスライドベース２の間に挟まれ、また二つの横板３１がそれぞれ縦向き案内手段３１１、及び横向きスライド手段３１２を具え、且つ二つの横板３１より上向きに直立板３２が延伸され、二つの直立板３２に内向きに二つの横向き位置決め柱３２１が凸設されている。
【００２０】
本実施例中、上述の二つのスライド側板３の各縦向き案内手段３１１はそれぞれ二つの案内凸柱３１３を具え、且つ該案内凸柱３１３は対応するトレイ１の縦向き案内溝１３３内にスライド自在に組み合わされ、並びに二つのスライド側板３がトレイ１に対して前後に縦向きスライド可能とされる。二つのスライド側板３の各横向きスライド手段３１２はその対応する横板３１の二側辺３１４を指し、且つこの二側辺３１４はスライド自在に対応するスライドベース２の横向き案内板２２１に当接され、並びに二つのスライド側板３はそれぞれスライドベース２に対して横向きにスライドする。
【００２１】
また、図中のディスクドライブ４は、標準の５又は４分の１インチ規格のディスクドライブ４とされ、且つそれは上述のスライドベース２の上方に組付けられ、且つこのディスクドライブ４は、底面４１、及び二つの側面４２を具え、そのうち底面４１の二側に直向位置決め孔４１１が凹設され、該直向位置決め孔４１１はスライドベース２の二側に凸設された直立位置決め柱２３に嵌合され、ディスクドライブ４の二側面４２に更に二つの横向き位置決め孔４２１が凹設され、それは二つのスライド側板３に内向きに凸設された二つの横向き位置決め柱３２１に対応し嵌合される。
【００２２】
図２から図６を参照されたい。図４は本発明のディスクドライブ固定前の平面図、図５は図４の正面図、図６は図４の側面図である。上述のディスクドライブ４を固定したい時は、先ずディスクドライブ４を上述のスライドベース２上に組付け、並びにディスクドライブ４の底面４１の直向位置決め孔４１１にスライドベース２の直立位置決め柱２３を挿入する。この時、ディスクドライブ４は先ず位置決め作用を形成し、且つこの時スライドベース２の下方の弾性位置決め片２４の位置決め凸点２４１がトレイ１の底板１１の前位置決め凹溝１１２内に対応し位置決めされる。
【００２３】
図２、３、７、８、９を参照されたい。図７は本発明のディスクドライブ固定後の平面図、図８は図７の正面図、図９は図７の側面図である。ディスクドライブ４を上述のスライドベース２上に組付けた後、スライドベース２をトレイ１の底板１１に対して後ろ向きにスライドさせる。この時、二側のスライド側板３は、縦向き案内構造１３の縦向き案内溝１３３と縦向き案内手段３１１の案内凸柱３１３により、及び、横向きスライド構造２２の横向き案内板２２１と横向きスライド手段３１２の側辺３１４により、並びに縦向き案内溝１３３の前端１３１と後端１３２の底板１１の中心線１０に対する近隣関係の形成する内向き偏移案内作用により、スライドベース２において後方にスライドする時、後ろ向き及び内向きの偏移を同時に発生し、並びに内向き偏移の過程中に、二つのスライド側板３の横向き位置決め柱３２１がそれぞれディスクドライブ４の横向き位置決め孔４２１内に対応し挿入され、ディスクドライブ４を固定し、並びにこれと同時に、スライドベース２下方の弾性位置決め片２４の位置決め凸点２４１がトレイ１の底板１１の後ろ位置決め凹溝１１３内に対応し位置決めされ、これによりスライドベース２に位置決めを形成させ並びにディスクドライブ４に安定した固定状態を形成させる。
【００２４】
反対に、ディスクドライブ４を取り出したい時は、先ずスライドベース２の下方の弾性位置決め片２４を上向きに小距離回し、並びにその位置決め凸点２４１を先にトレイ１の底板１１の後ろ位置決め凹溝１１３より離脱させ、その後、更に上述の動作を反対方向に行ない、スライドベース２をトレイ１の底板１１に対して前向きにスライドさせ、縦向き案内溝１３３と案内凸柱３１３の偏移案内作用下で、二つのスライド側板３を外向きにトレイ１の二つの側板１２に向けて偏移させ、その横向き位置決め柱３２１をディスクドライブ４の横向き位置決め孔４２１より離脱させればよい。
【００２５】
ゆえに、上述の構造及び上述の説明から分かるように、ディスクドライブ４は簡単な前後押動構造及び動作により固定或いは離脱を完成でき、並びにネジの使用或いは別にスライドレールを設ける必要がなく、ディスクドライブ４の組付けプロセスを簡易化し、並びに部品数を減らし、並びに製造コストを減らし、加工時間の浪費を減らし、これにより組立効率を高めることができる。このほか、一般の５又は４分の１インチのディスクドライブは同じ規格を有するため、上述の構造は異なる種類の５又は４分の１インチのディスクドライブ、例えばＣＤ−ＲＯＭドライブ、ＣＤ−ＲＷドライブ等に応用できる。
【００２６】
以上の実施例は本発明の説明のために例示されたものであり、本発明の主張する権利範囲は特許請求の範囲に準じ、以上の実施例に限定されるものではない。
【図面の簡単な説明】
【００２７】
【図１】周知の５又は４分の１インチのコンピュータアクセサリの立体図である。
【図２】本発明の固定構造の立体分解図である。
【図３】本発明のディスクドライブ固定構造の立体図である。
【図４】本発明のディスクドライブ固定前の平面図である。
【図５】図４の正面図である。
【図６】図６は図４の側面図である。
【図７】本発明のディスクドライブ固定後の平面図である。
【図８】図７の正面図である。
【図９】図７の側面図である。
【符号の説明】
【００２８】
１  トレイ              １０  中心線                １１  底板
１１１  前端            １１２  前位置決め凹溝      １１３  後ろ位置決め凹溝
１２  側板              １３  縦向き案内構造        １３１  前端
１３２  後端            １３３  縦向き案内溝        １４  縦向きスライド構造
１４１  凸板            ２  スライドベース          ２１  縦向きスライド手段
２１１  縦向き滑り溝    ２２  横向きスライド構造    ２２１  横向き案内板
２３  直立位置決め柱    ２４  弾性位置決め片        ２４１  位置決め凸点
３  スライド側板        ３１  横板                  ３１１  縦向き案内手段
３１２  横向きスライド手段                          ３１３  案内凸柱
３１４  側辺
３２  直立板            ３２１  横向き位置決め柱    ４  ディスクドライブ
４１  底面              ４１１  直向位置決め孔      ４２  側面
４２１  横向き位置決め孔  ９  ＣＤドライブ          ９１  スライドレール
９２  係合構造
【図１】
2005259328.tif 000003
【図２】
2005259328.tif 000004
【図３】
2005259328.tif 000005
【図４】
2005259328.tif 000006
【図５】
2005259328.tif 000007
【図６】
2005259328.tif 000008
【図７】
2005259328.tif 000009
【図８】
2005259328.tif 000010
【図９】
2005259328.tif 000011